(57)【要約】      （修正有）【課題】本発明は簡単な構造でコネクタの防水性を維持でき、コネクタの小型化ができ、接続不良にも繋がることがなく、コストアップにもならない同軸コネクタを提供。【解決手段】相手物と接触する接触部１２１とインシュレータ１４に保持される固定部１２２と基板若しくはケーブルに接続する接続部とを有する中心導体１２と、中心導体１２を保持するインシュレータ１４と、インシュレータ１４を保持するとともに相手物が挿入される開口部とを有するボディ本体１６と、ボディ本体１６に回動可能に装着されるとともに相手物との螺着部を有するカップリング１８と、相手物との嵌合時の防水性を高めるガスケット２０とを備え、相手物との嵌合時にガスケット２０は相手物とカップリング１８とで狭持されるとともに内側部がボディ本体１６に押圧することで達成できる。【選択図】  図２
2007042415.tif 000002
【特許請求の範囲】
【請求項１】
相手物と接触する接触部とインシュレータに保持される固定部と基板若しくはケーブルに接続する接続部とを有する中心導体と、該中心導体を保持するインシュレータと、該インシュレータを保持するとともに相手物が挿入される開口部とを有するボディ本体と、該ボディ本体に回動可能に装着されるとともに相手物との螺着部を有するカップリングと、相手物との嵌合時の防水性を高めるガスケットとを備え、相手物との嵌合時に前記ガスケットは相手物と前記カップリングとで狭持されるとともに内側部が前記ボディ本体に押圧されることを特徴とする同軸コネクタ。
【請求項２】
相手物と前記ボディ本体と前記カップリングに接する前記ガスケットの内周側を略倒C字形状にし、相手物と前記カップリングに接する部分にＲ形状突起部を設け、相手物端面の全面と前記ガスケットとが接触することで相手物や前記ボディ本体及び前記カップリングと前記ガスケットとの密着性を良くすることを特徴とする請求項１記載の同軸コネクタ。
【請求項３】
前記ガスケットを断面略スペード形状にするとともに前記カップリングを断面倒略Ｕ字形状にすることを特徴とする請求項１または２記載の同軸コネクタ。
【発明の詳細な説明】
【技術分野】
【０００１】
本発明は、通信機器等の接続や配線用に使用される同軸コネクタに関するもので、特に相手コネクタとの嵌合時における防水構造を維持しつつ小型化も同時に図ったものである。
【背景技術】
【０００２】
図４から図６に基づいて、従来の同軸コネクタについて説明する。従来の同軸コネクタは図４のように、主に中心導体とインシュレータとボディ本体とカップリングとスプリングと平ガスケットとを備えている。相手コネクタとの嵌合時に、相手コネクタとボディ本体とで、前記平ガスケットを押圧し潰すことで、図５のように嵌合内部（中心導体と相手コネクタとの接触する部分）への水侵入経路を阻むような構造にしている。図５では水侵入経路を二点鎖線で表している。
防水性を高めた同軸コネクタとしては、特許文献１や特許文献２に挙げるようなものがある。
【特許文献１】実用新案登録第３００１２８０号の要約によると、連結時に防水パッキンの変形が容易に行われ、確実な防水構造及び外部導体の接触が得られる同軸コネクタを得ることを目的とし、外部導体２１と中心導体２４とが絶縁体を介して同軸に配置され、外部導体２１は太い径の本体部２２から細い径の端部２３が延出し、その細い径の端部２３に挿通されるとともに、太い径の本体部２２の環状端面２７に相対するように環状の防水パッキン２５が装着されてなる同軸コネクタにおいて、外部導体２１の本体部２２の環状端面２７に、当該同軸コネクタが他方の同軸コネクタに連結される際に防水パッキン２５に食い込んで防水パッキン２５を変形させる凸部３２が形成されてなることを特徴とする同軸コネクタが開示されている。  ちなみに、実用新案登録第３００１２８０号の請求の範囲によると、請求項１として、外部導体と中心導体とが絶縁体を介して同軸に配置され、外部導体は太い径の本体部から細い径の端部が延出し、その細い径の端部に挿通されるとともに、太い径の本体部の環状端面に相対するように環状の防水パッキンが装着されてなる同軸コネクタにおいて、前記外部導体の本体部の環状端面に、当該同軸コネクタが他方の同軸コネクタに連結される際に前記防水パッキンに食い込んで前記防水パッキンを変形させる突部が形成されてなることを特徴とする同軸コネクタが開示されている。
【特許文献２】特開２００１−６８２７の要約によると、確実に防水機能を発揮することが可能な防水型同軸コネクタを提供することを目的とし、第１の同軸コネクタ３と第２の同軸コネクタ５とを組み合わせて構成される防水型同軸コネクタ１であって、第１の同軸コネクタ３は、第１の中心導体３１と、第１の外部導体３２と、第１の絶縁体３３とを含み、第２の同軸コネクタ５は、第２の中心導体５１と、第２の外部導体５２と、第２の絶縁体５３と、カップリングナット５４とを含む防水型同軸コネクタ１において、第１の外部導体３２と第２の外部導体５２の間をシールするパッキンとして、第１の外部導体３２の先端部を受け入れる溝５５ａを有した凹型パッキン５５を用いたことを特徴とする防水型同軸コネクタが開示されている。  ちなみに、特開２００１−６８２７の特許請求の範囲によると、請求項１として、第１の同軸コネクタと第２の同軸コネクタとを組み合わせて構成される防水型同軸コネクタであって、前記第１の同軸コネクタは、第１の中心導体と、外周面に雄ネジを有し、前記第１の中心導体と同軸に配設された第１の外部導体と、前記第１の中心導体と前記第１の外部導体との間に介在する第１の絶縁体とを含み、前記第２の同軸コネクタは、前記第１の中心導体と接触する第２の中心導体と、前記第１の外部導体の嵌合方向先端面に対向する環状の支持面を有し、前記第２の中心導体と同軸に配設された第２の外部導体と、前記第２の中心導体と前記第２の外部導体との間に介在する第２の絶縁体と、内周面に前記雄ネジと螺合する雌ネジを有し、前記第２の外部導体に回動自在に取り付けられ、前記第１の外部導体と前記第２の外部導体とを導通させるカップリングナットと、前記支持面上に配置され、前記第１の外部導体の嵌合方向先端部と当接して、前記支持面と前記嵌合方向先端部との間をシールするリング状のパッキンとを含んでいる防水型同軸コネクタにおいて、前記パッキンとして、前記嵌合方向先端部を受け入れる溝を有した凹型パッキンが用いられていることを特徴とする防水型同軸コネクタ。請求項２として、前記溝の内側面をテーパー状にしたことを特徴とする請求項１記載の防水型同軸コネクタ。請求項３として、前記嵌合方向先端部をテーパー状にしたことを特徴とする請求項１又は２記載の防水型同軸コネクタ等が開示されている。
【発明の開示】
【発明が解決しようとする課題】
【０００３】
図４のような従来構造のものでは、構造上必然的にボディ本体の外形寸法が大きくなってしまいコネクタの小型化が出来ないことや平ガスケットを押圧する際に平ガスケットに捩れ力が加わらないように前記カップリングと前記ボディ本体との間にスプリングを介在させることが必要になりコストアップに繋がるといった課題があった。また、スプリングが介在することにより、スプリングの精度や乱雑な締付け作業からカップリングが外れてしまい、接続不良の原因に繋がると言った問題点もあった。さらに、平ガスケットの潰し量（潰し体積）が大きいため、締付け時に非常に大きな力を必要とし、作業性が悪いと言った問題点もあった。
特許文献１や特許文献２のような構造は、基本的に図４の従来構造と変わりなく、コネクタの小型化には繋がらないし、前記カップリングと前記ボディ本体との間にスプリングを介在させる必要がありコストアップの改善にも繋がらない。
【０００４】
本発明は、このような従来の問題点に鑑みてなされたもので、簡単な構造でコネクタの防水性を維持でき、コネクタの小型化ができ、接続不良にも繋がることがなく、コストアップにもならない同軸コネクタを提供せんとするものである。
【課題を解決するための手段】
【０００５】
上記目的は、相手物と接触する接触部とインシュレータに保持される固定部と基板若しくはケーブルに接続する接続部とを有する中心導体と、該中心導体を保持するインシュレータと、該インシュレータを保持するとともに相手物が挿入される開口部とを有するボディ本体と、該ボディ本体に回動可能に装着されるとともに相手物との螺着部を有するカップリングと、相手物との嵌合時の防水性を高めるガスケットとを備え、相手物との嵌合時に前記ガスケットは相手物と前記カップリングとで狭持されるとともに内側部が前記ボディ本体に押圧することで達成できる。
【０００６】
相手物と前記ボディ本体と前記カップリングに接する前記ガスケットの内周側を略倒C字形状にし、相手物と前記カップリングに接する部分にＲ形状突起部を設け、相手物端面の全面と前記ガスケットとが接触することで相手物や前記ボディ本体及び前記カップリングと前記ガスケットとの密着性を良くする。
前記ガスケットを断面略スペード形状にするとともに前記カップリングを断面倒略Ｕ字形状にする。
【発明の効果】
【０００７】
以上の説明から明らかなように、本発明の同軸コネクタ１０によると、次のような優れた効果が得られる。
（１）相手物と接触する接触部とインシュレータに保持される固定部と基板若しくはケーブルに接続する接続部とを有する中心導体と、該中心導体を保持するインシュレータと、該インシュレータを保持するとともに相手物が挿入される開口部とを有するボディ本体と、該ボディ本体に回動可能に装着されるとともに相手物との螺着部を有するカップリングと、相手物との嵌合時の防水性を高めるガスケットとを備え、相手物との嵌合時に前記ガスケットは相手物と前記カップリングとで狭持されるとともに内側部が前記ボディ本体に押圧しているので、簡単な構造で十分な防水性を確保しつつ、コネクタの小型化も図れ、部品も削減でき、接続不良に繋がることもなく、かつ、コストアップにも繋がらなく、作業性もよい。
（２）相手物と前記ボディ本体と前記カップリングに接する前記ガスケットの内周側を略倒C字形状にし、相手物と前記カップリングに接する部分にＲ形状突起部を設け、相手物端面の全面と前記ガスケットとが接触することで相手物や前記ボディ本体及び前記カップリングと前記ガスケットとの密着性を良くしているので、簡単な構造で確実な防水性を確保でき、作業性もよい。
（３）前記ガスケットを断面略スペード形状にするとともに前記カップリングを断面倒略Ｕ字形状にしているので、簡単な構造で十分な防水性を確保しつつ、コネクタの小型化も図れ、接続不良に繋がることもなく、かつ、作業性もよい。
【発明を実施するための最良の形態】
【０００８】
図１から図３に基づいて、本発明の同軸コネクタの一実施例について説明する。図１は相手コネクタと本発明の同軸コネクタとの部分断面図であり、図２は相手コネクタと本発明の同軸コネクタとが嵌合した状態の部分断面図である。図３はガスケットの断面図である。
本発明の同軸コネクタ１０は、主に中心導体１２とインシュレータ１４とボディ本体１６とカップリング１８とガスケット２０とを備えている。
【０００９】
構成部品を説明する前に、相手コネクタ４０について説明する。相手コネクタ４０も主に絶縁体であるインシュレータ（図示せず）と中心導体４２とボディ本体４６とを備えている。前記中心導体４２には前記同軸コネクタ１０の中心導体１２の接触部１２１が入るようにすり割り部を有する孔が設けられた接触部４２１と絶縁体である前記インシュレータ（図示せず）に保持される固定部と基板やケーブル等に接続する接続部（図示せず）とを有している。前記ボディ本体４６には、絶縁体である前記インシュレータ（図示せず）が保持され、前記同軸コネクタ１０のカップリング１８と螺着する螺着部４６１と前記ボディ本体１６が入る溝部が設けられている。即ち、前記同軸コネクタ１０のカップリング１８の螺着部１８１と前記相手コネクタ４０のボディ本体４６の螺着部４６１とが螺着することで確実な嵌合を行なう構造になっている。
【００１０】
図に基づいて本発明のコネクタの構成部品について説明する。
まず、本発明のポイントであるガスケット２０について説明する。このガスケット２０は絶縁体であり、公知技術のモールド加工又はプレス加工によって製作されている。前記ガスケット２０の材質としては、密着性や弾性や耐候性が要求されるので、シリコンゴムやクロロプレンゴムやニトリルゴム等を挙げることができる。
【００１１】
前記ガスケット２０の形状及び大きさとしては、前記相手コネクタ４０との嵌合時に、前記相手コネクタ４０のボディ本体４６の端面の全面と前記ガスケットとが接触し、前記相手コネクタ４０や前記同軸コネクタ１０のボディ本体１６及び前記カップリング１８と前記ガスケット２との密着性を高めることができ、防水性を確保でき、組付け作業性の問題がなければ如何なる形状、大きさでもよい。
本実施例では、上述のようなことを考慮して、前記ガスケット２０は断面略スペード形状をし、相手コネクタ４０のボディ本体４６と前記ボディ本体１６と前記カップリング１８に接する前記ガスケット２０の内周側は略倒C字形状にしている。また、相手コネクタ４０のボディ本体４６と前記カップリング１８に接する部分にＲ形状突起部２０１を設けている。
【００１２】
前記ガスケット２０の内周の孔の大きさは、前記ボディ本体１６が入り、かつ、前記相手コネクタ４０との嵌合時に密着性を高められるように適宜設計している。本実施例では、前記ボディ本体１６の外形より０．４〜０．８ｍｍ程度小さくしている。
【００１３】
次に、前記中心導体１２について説明する。この中心導体１２は金属製であり、公知技術の切削加工やプレス加工によって製作されている。前記中心導体１２の材質としては、寸法安定性や接触安定性や導電性などが要求されるので、黄銅やベリリウム銅やリン青銅等を挙げることができる。
【００１４】
前記中心導体１２は主に前記相手コネクタ４０の中心導体４２と接触する接触部１２１と前記インシュレータの保持される固定部１２２と基板やケーブル等に接続される接続部（図示せず）とを有している。前記接触部１２１は前記相手コネク４０の中心導体４２の溝部に入るように円柱形状をし、その大きさは相手の中心導体４２の溝部に入って、安定した接触が得られるように適宜設計している。前記固定部１２２は前記インシュレータ１４に圧入や挟み込みなどによって保持されている。前記固定部１２２の形状及び大きさはインピーダンスの整合や保持力や保持方法や同軸コネクタ１０の小型化等を考慮して適宜設計する。前記接続部は仕様や接続する物や接続方法等を考慮して適宜設計する。
【００１５】
次に、インシュレータ１４について説明する。このインシュレータ１４は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリ四フッ化エチレンやこれらの合成材料を挙げることができる。
前記インシュレータ１４には前記中心導体１２が挿入・保持される挿入孔が設けられ、前記インシュレータ１４の形状は略円柱状をしている。前記挿入孔は前記中心導体１２のインピーダンスの整合や保持力や同軸コネクタ１０の小型化等を考慮して適宜設計している。
【００１６】
次に、ボディ本体１６について説明する。このボディ本体１６は金属製であり、公知技術の切削加工やダイキャスト成型等によって製作され、この材質としては寸法安定性や加工性やコスト等を考慮して適宜選択するが、一般的には黄銅やベリリウム銅やリン青銅やステンレス鋼等を挙げることができる。
前記ボディ本体１６には少なくとも前記インシュレータ１４が入る嵌入孔が設けられるとともに前記相手コネクタ４０が挿入される開口部３２とを有している。前記嵌入孔の大きさは前記インシュレータ１４が入り保持できればよく、前記インシュレータ１４の保持力や前記ボディ本体１６の強度や前記同軸コネクタ１０の小型化等を考慮して適宜設計する。前記開口部３２は前記相手コネクタ４０の中心導体４２が入り、各々中心導体同士１２、４２が接触する部分である。前記開口部３２の大きさは、このような関係になるように適宜設計している。
【００１７】
次に、カップリング１８について説明する。このカップリング１８は金属製であり、公知技術の切削加工やダイキャスト成型等によって製作され、この材質としては寸法安定性や加工性やコスト等を考慮して適宜選択するが、一般的には黄銅やベリリウム銅やリン青銅やステンレス鋼等を挙げることができる。
前記カップリング１８は断面倒略Ｕ字形状をし、少なくとも相手コネクタ４０のボディ本体４６の螺着部４６１と螺着する螺着部１８１と前記ボディ本体４６が入る嵌合部３０とを有している。また、前記カップリング１８は前記ボディ本体１６に回動可能に装着されている。前記嵌合部３０は前記相手コネクタ４０のボディ本体４６が挿入でき、螺着部同士１８１、４６１が螺着でき、嵌合できれば如何なる大きさでもよく、前記同軸コネクタ１０の小型化や前記カップリング１８の強度や操作性等を考慮して適宜設計している。
【００１８】
最後に、図２に基づいて、嵌合時の防水構造について説明する。図２の２点鎖線部分が水の浸入経路３４を示している。即ち、相手コネクタ４０と同軸コネクタ１０の嵌合時において、両コネクタ１０、４０の中心導体１２、４２とが接触している部分に水が入り込まないような構造になっている。防水構造としては、前記相手コネクタ４０のボディ本体４６の先端端面と前記同軸コネクタ１０のカップリング１８とで、前記ガスケット２０を狭持し、前記ガスケット２０のＲ形状の両側の突起部２０１を潰し、かつ、潰すことで前記ガスケット２０の内周側が前記同軸コネクタ１０のボディ本体１６に押圧されることで、相手コネクタ４０や前記ボディ本体１６及び前記カップリング１８と前記ガスケット２０との密着性を良くし、水の浸入が前記中心導体同士１２、４２の嵌合部まで入り込まない防水構造にしている。
【産業上の利用可能性】
【００１９】
本発明の活用例としては、通信機器等の接続や配線用に使用される同軸コネクタに活用され、特に相手コネクタとの嵌合時における防水構造を維持しつつ小型化も同時に図ったものである。
【図面の簡単な説明】
【００２０】
【図１】相手コネクタと本発明の同軸コネクタとの部分断面図である。
【図２】相手コネクタと本発明の同軸コネクタとが嵌合した状態の部分断面図である。
【図３】ガスケットの断面図である。
【図４】相手コネクタと従来の同軸コネクタとの部分断面図である。
【図５】相手コネクタと従来の同軸コネクタとが嵌合した状態の部分断面図である。
【図６】従来のガスケットの断面図である。
【符号の説明】
【００２１】
１０、５０                        同軸コネクタ
１２、４２、５２、７２            中心導体
１２１、４２１、５２１、７２１    接触部
１２２、５２２                    固定部
１４、５４                        インシュレータ
１６、４６、５６、７６            ボディ本体
１８、５８                        カップリング
１８１、４６１、５８１、７６１    螺着部
２０                              ガスケット
２０１                            突起部
３０                              嵌合部
３２                              開口部
３４                              水の浸入経路
４０、７０                        相手コネクタ
６０                              平ガスケット
６２                              スプリング
【図１】
2007042415.tif 000003
【図２】
2007042415.tif 000004
【図３】
2007042415.tif 000005
【図４】
2007042415.tif 000006
【図５】
2007042415.tif 000007
【図６】
2007042415.tif 000008